(57)【特許請求の範囲】
【請求項１】
天レールと地レール間に立設した支柱に分割パネル板を上下方向に多段に係止するとともに、上下の分割パネル板の横目地部に横桟が位置してなる間仕切パネルにおいて、係止部材を、前記分割パネル板の上端部の裏面側であって左右中間部の単数又は複数個所に横方向スライド係合させて取付け、前記横桟の垂下板の対応箇所に開口を形成し、前記分割パネル板の両側端部を前記支柱に係止すると同時に、前記係止部材を前記開口に係止すべく、前記係止部材は、略水平な基部と、該基部の一端部に下方へ延び前記開口に係止する爪部を形成するとともに、前記基部の他端部に係合脚を形成した側面視略Ｌ字形であり、前記係合脚は先端側の係合凸部と基端側の上下寸法が小さな首部を有し、前記分割パネル板の裏面側に形成した下向きの折曲板に前記係合脚に対応して係合孔を形成し、該係合孔は前記係合凸部が通過可能な大孔部とその左右一側に連続して係合凸部が通過不能且つ前記首部を係合可能な小孔部を有してなることを特徴とする間仕切パネルにおける撓み防止装置。
【請求項２】
前記横桟の開口に前記係止部材の爪部が係止した状態で、該係止部材の横方向の移動を規制し、前記係合脚が前記分割パネル板の係合孔から脱落するのを防止してなる請求項１記載の間仕切パネルにおける撓み防止装置。
【請求項３】
上段の分割パネル板の下端部の裏面側に下方へ延びた係合板を形成し、上段の分割パネル板の両側端部を前記支柱に係止すると同時に、前記係合板を下段の前記分割パネル板の折曲板の裏面に係止してなる請求項１記載の間仕切パネルにおける撓み防止装置。
【発明の詳細な説明】
【技術分野】
【０００１】
本発明は、間仕切パネルにおける撓み防止装置に係わり、更に詳しくは支柱の下端部に取付けてパネル受け部材の支持機能を備えた間仕切パネルにおける撓み防止装置に関するものである。
【背景技術】
【０００２】
従来から天井に取付けた天レールと床面に敷設した地レールとの間に所定間隔で支柱を立設し、両支柱に適宜な係止手段にて表裏両面にパネル板を係止して装着した間仕切パネルは各種提供されている。具体的には、前記支柱は下端に設けたアジャスターを上向き開放の断面略コ字形の前記地レール内に載支するとともに、該支柱の上端に設けた天固定金具を下方開放した断面略コ字形の前記天レールの内部で天井にネジ止め固定し、隣接する支柱間には下部に前記アジャスターを利用してパネル受け部材を架設するとともに、上下中間位置に単数又は複数の横桟を横設して隣接する支柱の間隔を一定に保持している。
【０００３】
従来から、横長の分割パネル板を上下に複数配置する構造の間仕切パネルも提供されており、分割パネル板の一部をダブルガラスブロックに置き換えて採光や室内区間の広がりを演出する構造も提供されている。この場合、分割パネル板の両側端は支柱に係止するが、分割パネル板の横幅は広いもので１８００ｍｍになるものもあり、中央部分が面外方向に撓むといった問題があり、何らかの撓み防止の措置がとられている。
【０００４】
特許文献１には、分割パネル板の上縁部に、表面板の上端から裏面側へ略直角に折曲して上面板を形成するとともに、該上面板の端縁を下方へ略直角に折曲して折曲板を形成し、左右中間位置における前記折曲板には横長の長孔を形成し、連結金具の平板部の端部に折返し形成した爪部を前記長孔に外側から係合し、両分割パネル板に引っ掛けた連結金具の平板部同士を上下に重ねた状態でネジ止めし、両分割パネル板の上端部を連結する構造が記載されている。また、横桟（胴縁）の位置において、上段の分割パネル板の下端に下方へ折曲して形成した係合板を、下段の分割パネル板の折曲板の内面に当止して装着する構造も開示されている。
【０００５】
しかし、特許文献１に記載の構造は、下段の分割パネル板を施工した後、前記連結金具で上部を連結し、それから支柱間に横桟と取付け、その後、上段の分割パネル板を施工するという手順であり、パネル板を支柱に装着する前に、横桟によって支柱間の間隔を正確に規定することができず、また分割パネル板の上部と横桟とは直接関連がなく、上段の分割パネル板の係合板を介して横桟に接合しているに過ぎない。
【先行技術文献】
【特許文献】
【０００６】
【特許文献１】特許第３３６４６５６号公報
【発明の概要】
【発明が解決しようとする課題】
【０００７】
そこで、本発明が前述の状況に鑑み、解決しようとするところは、天レールと地レール間に立設した支柱に分割パネル板を上下方向に多段に係止するとともに、上下の分割パネル板の横目地部に横桟が位置してなる間仕切パネルにおいて、簡単且つ安価な成形品部材を追加し、簡単な穴加工をするだけで、分割パネル板を支柱に係止すると同時に、中央部分の面外方向の撓みを確実に防止することが可能な間仕切パネルにおける撓み防止装置を提供する点にある。
【課題を解決するための手段】
【０００８】
本発明は、前述の課題解決のために、天レールと地レール間に立設した支柱に分割パネル板を上下方向に多段に係止するとともに、上下の分割パネル板の横目地部に横桟が位置してなる間仕切パネルにおいて、係止部材を、前記分割パネル板の上端部の裏面側であって左右中間部の単数又は複数個所に横方向スライド係合させて取付け、前記横桟の垂下板の対応箇所に開口を形成し、前記分割パネル板の両側端部を前記支柱に係止すると同時に、前記係止部材を前記開口に係止すべく、前記係止部材は、略水平な基部と、該基部の一端部に下方へ延び前記開口に係止する爪部を形成するとともに、前記基部の他端部に係合脚を形成した側面視略Ｌ字形であり、前記係合脚は先端側の係合凸部と基端側の上下寸法が小さな首部を有し、前記分割パネル板の裏面側に形成した下向きの折曲板に前記係合脚に対応して係合孔を形成し、該係合孔は前記係合凸部が通過可能な大孔部とその左右一側に連続して係合凸部が通過不能且つ前記首部を係合可能な小孔部を有してなることを特徴とする間仕切パネルにおける撓み防止装置を構成した（請求項１）。
【０００９】
更に、前記横桟の開口に前記係止部材の爪部が係止した状態で、該係止部材の横方向の移動を規制し、前記係合脚が前記分割パネル板の係合孔から脱落するのを防止してなることも好ましい（請求項２）。
【００１０】
そして、上段の分割パネル板の下端部の裏面側に下方へ延びた係合板を形成し、上段の分割パネル板の両側端部を前記支柱に係止すると同時に、前記係合板を下段の前記分割パネル板の折曲板の裏面に係止してなることも好ましい（請求項３）。
【発明の効果】
【００１１】
以上にしてなる請求項１に係る発明の間仕切パネルにおける撓み防止装置は、天レールと地レール間に立設した支柱に分割パネル板を上下方向に多段に係止するとともに、上下の分割パネル板の横目地部に横桟が位置してなる間仕切パネルにおいて、係止部材を、前記分割パネル板の上端部の裏面側であって左右中間部の単数又は複数個所に横方向スライド係合させて取付け、前記横桟の垂下板の対応箇所に開口を形成し、前記分割パネル板の両側端部を前記支柱に係止すると同時に、前記係止部材を前記開口に係止すべく、前記係止部材は、略水平な基部と、該基部の一端部に下方へ延び前記開口に係止する爪部を形成するとともに、前記基部の他端部に係合脚を形成した側面視略Ｌ字形であり、前記係合脚は先端側の係合凸部と基端側の上下寸法が小さな首部を有し、前記分割パネル板の裏面側に形成した下向きの折曲板に前記係合脚に対応して係合孔を形成し、該係合孔は前記係合凸部が通過可能な大孔部とその左右一側に連続して係合凸部が通過不能且つ前記首部を係合可能な小孔部を有してなるので、簡単且つ安価な成形品部材を追加し、分割パネル板と横桟に簡単な穴加工をするだけで、分割パネル板を支柱に係止すると同時に、中央部分の面外方向の撓みを確実に防止することができ、そして係止部材の両係合脚を分割パネル板の係合孔の大孔部から挿入し、小孔部側へ横方向スライドさせることにより、係合脚の首部を該小孔部に係合するとともに、係合凸部を該小孔部の孔縁に係止して簡単に取付けることができ、係止部材は分割パネル板の施工時に取付ければ良いので、保管・搬送時に分割パネル板が嵩張ることがない。
【００１２】
請求項２によれば、前記横桟の開口に前記係止部材の爪部が係止した状態で、該係止部材の横方向の移動を規制し、前記係合脚が前記分割パネル板の係合孔から脱落するのを防止してなるので、係止部材の係合脚を分割パネル板の係合孔に横方向スライド係合させた後の戻り止めの構造を特に設ける必要がなく、構造が極めて簡単になる。
【００１３】
請求項３によれば、上段の分割パネル板の下端部の裏面側に下方へ延びた係合板を形成し、上段の分割パネル板の両側端部を前記支柱に係止すると同時に、前記係合板を下段の前記分割パネル板の折曲板の裏面に係止してなるので、分割パネル板の上下部に対して面外方向の撓みを防止できるので、長尺のスパンでも全く撓みが生じない。
【図面の簡単な説明】
【００１４】
【図１】本発明に係る間仕切パネルの部分正面図である。
【図２】本発明に係る間仕切パネルのフレーム構造を示す部分正面図である。
【図３】同じく本発明に係る間仕切パネルのフレーム構造を示す部分縦断側面図である。
【図４】パネル板の係止構造を部分断面で示した斜視図である。
【図５】パネル板を支柱に係止した状態の部分横断平面図である。
【図６】上下分割パネル板と横桟との関係を示す分解斜視図である。
【図７】図１のＸ−Ｘ線断面図である。
【図８】係止部材の斜視図である。
【図９】同じく係止部材を示し、（ａ）は平面図，（ｂ）は正面図、（ｃ）は側面図、（ｄ）は（ｂ）のＺ−Ｚ線断面図である。
【図１０】最下段の分割パネル板の下部構造とパネル受け部材の関係を示す部分斜視図である。
【図１１】同じく最下段の分割パネル板とパネル受け部材の関係を示し，（ａ）はパネル受け部材に分割パネル板を載支する前の状態の部分縦断面図、（ｂ）はパネル受け部材に分割パネル板を載支した後の状態の部分縦断面図である。
【図１２】図１のＹ−Ｙ線断面図である。
【図１３】従来のダブルガラスブロックと分割パネル板の関係を示す縦断側面図である。
【図１４】アジャスターとパネル受け部材との関係を示す斜視図である。
【図１５】支柱に支持金具を介して横桟を連結する構造を示す部分正面図である。
【図１６】支持金具を示す斜視図である。
【図１７】支柱に支持金具を介して横桟を連結した状態を示す部分縦断側面図である。
【図１８】支柱に支持金具を介して横桟を連結した状態の部分拡大縦断正面図である。
【発明を実施するための形態】
【００１５】
次に、添付図面に示した実施形態に基づき、本発明を更に詳細に説明する。図１〜図５は、本発明に係る間仕切パネルの構造を示し、図中符号１は天レール、２は地レール、３は支柱、４はアジャスター、５は天固定金具、６はパネル受け部材、７は横桟、８は分割パネル板、９は支持金具、１０はダブルガラスブロックをそれぞれ示している。
【００１６】
本発明に係る間仕切パネルは、天井Ｓに取付けた天レール１と床面Ｆに敷設した地レール２との間に所定間隔で支柱３，…を立設し、具体的には前記支柱３は下端に設けたアジャスター４を上向き開放の断面略コ字形の前記地レール２内に載支するとともに、該支柱３の上端に設けた天固定金具５を下方開放した断面略コ字形の前記天レール１の内部で天井Ｓにネジ止め固定し、隣接する支柱３，３間には下部に前記アジャスター４を利用してパネル受け部材６を架設するとともに、上下中間位置に複数の横桟７を横設して、隣接する支柱３，３の間隔を一定に保持し、そして両支柱３，３に適宜な係止手段にて表裏両面に横長の分割パネル板８，８を係止して装着する。ここで、前記横桟７は、上下の分割パネル板８，８の横目地部に対応する高さ位置に、前記支柱３に取付けられた支持金具９によって連結されている。本実施形態では、床面Ｆと天井Ｓ間を上下４段に分割し、通常のスチール製分割パネル板８，…を下３段に設け、最上段にはダブルガラスブロック１０を設けている。前記支柱３，３の間隔は、前記分割パネル板８の寸法に応じて１８００ｍｍになるものもある。
【００１７】
本実施形態の分割パネル板８は、図４に示すように、スチール製の表面板１１の周囲を裏面側へ折曲して縁部１２を形成し、裏面側に石膏ボード等の防音性に優れた芯材１３が接着された構造である。更に詳しくは、前記縁部１２は、両側にあっては前記表面板１１を裏面側に略直角に折曲して端面板１４を形成し、更に該端面板１４の後端を内方へ直角よりもやや小さな角度に折曲して裏面板１５を形成し、該裏面板１５には上下方向に所定間隔毎に縦長の係止孔１６，…を形成したものである。
【００１８】
前記分割パネル板８を前記支柱３に係止するには、図２及び図３に示すように、前記支柱３の両側面で所定高さ位置に、前後両端部が該支柱３から突出するように係止板１７をネジ止めする。この係止板１７の両端部には、上向きフック部１８，１８が形成されており、該上向きフック部１８に前記分割パネル板８の両側の裏面板１５に形成した係止孔１６を係止する。尚、前記分割パネル板８を前記支柱３に係止する構造は、前述のものに限らず、従来公知の各種係止手段を採用できる。
【００１９】
前記分割パネル板８は、図６に示すように、上縁部にあっては前記表面板１１の上端から裏面側へ略直角に折曲して上面板１９を形成するとともに、該上面板１９の端縁を下方へ略直角に折曲して折曲板２０を形成した構造である。また、分割パネル板８は下縁部にあっては、前記表面板１１の下端から裏面側へ略直角に折曲して下面板２１を形成するとともに、該下面板２１の端縁を下方へ略直角に折曲して係合板２２を形成し、縁部１２を形成している。
【００２０】
本発明に係る撓み防止装置は、前記天レール１と地レール２間に立設した支柱３に分割パネル板８，…を上下方向に多段に係止するとともに、上下の分割パネル板８，８の横目地部に横桟７が位置してなる間仕切パネルにおいて、合成樹脂製若しくはアルミダイキャスト製の係止部材２３を、前記分割パネル板８の上端部の裏面側であって左右中間部の単数又は複数個所に横方向スライド係合させて取付け、前記横桟７の垂下板２４の対応箇所に横長の長方形状の開口２５を形成し、前記分割パネル板８の両側端部を前記支柱３に係止すると同時に、前記係止部材２３を前記開口２５に係止してなることを特徴としている。
【００２１】
具体的には、前記係止部材２３は、図６〜図９に示すように、略水平な基部２６と、該基部２６の一端部に下方へ延び前記開口２５に係止する爪部２７を形成するとともに、前記基部２６の他端部に左右両側部に係合脚２８，２８を形成した側面視略Ｌ字形であり、前記係合脚２８は先端側の係合凸部２８Ａと基端側の上下寸法が小さな首部２８Ｂを有し、前記分割パネル板８の裏面側に形成した下向きの折曲板２０に前記係合脚２８，２８に対応して左右に係合孔２９，２９を形成し、該係合孔２９は前記係合凸部２８Ａが通過可能な大孔部２９Ａとその左右一側に連続して係合凸部２８Ａが通過不能且つ前記首部２８Ｂを係合可能な小孔部２９Ｂを有している。前記開口２５の横寸法は、前記係止部材２３の横幅より若干大きく設定している。
【００２２】
そして、前記係止部材２３の両係合脚２８，２８を前記分割パネル板８の係合孔２９，２９の大孔部２９Ａから挿入し、小孔部２９Ｂ側へ横方向スライドさせることにより、係合脚２８の首部２８Ｂを該小孔部２９Ｂに係合するとともに、係合凸部２８Ａを該小孔部２９Ｂの孔縁に係止して取付ける。この状態で、前記分割パネル板８の両側端部の係止孔１６，…を前記支柱３に固定した係止板１７の上向きフック部１８に係止すると同時に、前記横桟７の開口２５に前記係止部材２３の爪部２７が係止する。この状態で、前記係止部材２３の基部２６の端部が前記開口２５の口縁に当止するので、該係止部材２３の横方向の移動が規制され、もって前記係合脚２８が前記分割パネル板８の係合孔２９から脱落するのを防止する。
【００２３】
また、図６及び図７に示すように、上段の分割パネル板８の下端部の裏面側に形成した係合板２２が、上段の分割パネル板８の両側端部を前記支柱３に前記同様に係止すると同時に、前記係合板２２を下段の前記分割パネル板８の折曲板２０の裏面に係止して面外方向の撓みを防止するのである。尚、前記分割パネル板８を前記支柱３，３に係止した際に、前記芯材１３が前記横桟７の垂下板２４の外面に接触する位置関係にあり、該分割パネル板８の内方への変位は規制されている。
【００２４】
最下段の前記分割パネル板８の下端は、図１０及び図１１に示すように、前記下面板２１の端縁を上方に折曲して補強板３０を形成して縁部１２を形成してあり、該補強板３０の一部を切起して下向きの突片３１を形成し、前記パネル受け部材６の水平な受板３２に形成した係合孔３３に落とし込み係合して該分割パネル板８の面外方向の撓み変形を防止している。
【００２５】
次に、最上段のダブルガラスブロック１０の下端を支持する横桟７Ａは、図１２に示すように、アルミ押出し型材で構成し、重量のあるダブルガラスブロック１０の荷重を受けている。前記横桟７Ａは、水平板３４と両側の垂直板３５，３５とからなる断面略Ｈ字形であり、更に前記垂直板３５の上下中央部で前記水平板３４の延長線上に断面倒Ｔ字形の小さな突起３６，３６を形成し、該突起３６には下向きの係合溝３７を有している。そして、前記ダブルガラスブロック１０の直下、つまり本実施形態では下から３段目の分割パネル板８の上端部は、前記表面板１１の上端から裏面側へ略直角に折曲して上面板１９を形成するとともに、該上面板１９の端縁を上方へ略直角に折曲して係止突片３８を形成した構造である。
【００２６】
そして、３段目の分割パネル板８の両側端部を前記同様に支柱３，３に係止するとともに、下端部の前記係合板２２を下段の前記分割パネル板８の折曲板２０の裏面に係止した後、前記横桟７Ａを、支持金具９を用いて両支柱３，３に連結すると同時に、前記係合溝３７に分割パネル板８の上端の係止突片３８を係合し、面外方向の撓みを防止している。ここで、前記分割パネル板８の芯材１３の上端は、前記上面板１９の近傍位置に設定し、該分割パネル板８を支柱３に係止した状態で、前記芯材１３の上端部が前記横桟７Ａの垂直板３５の外面に接触するようにすれば、防音効果を高めるとともに、ガタツキのない支持ができる。
【００２７】
前記ダブルガラスブロック１０は、上下の横枠３９と左右の縦枠（図示せず）とで四角のフレームを形成し、該フレームの外側位置にガラス板４０を保持したガラスパネル１０Ａを構成し、前記支柱３，３の前後両側からガラスパネル１０Ａ，１０Ａをそれぞれ係止して取付けることにより、表裏のフレームが当接して一体化するのである。
【００２８】
図１３は、前記ダブルガラスブロック１０の直下に設ける従来の分割パネル板８Ａの上端部の構造を示している。この分割パネル板８Ａは、上端部にあっては前記表面板１１の上端から裏面側へ略直角に折曲して上面板１９を形成するとともに、該上面板１９の端縁を下方へ略直角に折曲して折曲板２０を形成し、前記芯材１３の上端と折曲板２０との間に大きな空間部を設け、この空間部に断面略コ字形の係止金具４１を固着し、該係止金具４１の内側の板片を前記上面板１９より上方へ突出させた構造であり、この突出部４２を前記横桟７Ａの係合溝３７に係合させるようにしていた。この場合、前記芯材１３は前記横桟７Ａの垂直板３５の外面に接触することはなく、防音効果に乏しいものであった。また、別部材の係止金具４１を作製し、それを固着する作業も必要であり、部品点数が多くなり、工数も多いので、コスト高の要因となっていた。
【００２９】
次に、その他の周辺構造を説明する。先ず、前記支柱３は、図２、図３及び図５に示すように、正面視において横幅が従来の支柱よりも狭く、奥行は従来の支柱と同じ寸法に設定され、軽量化とコストダウンが図られている。前記支柱３は、断面略Ｃ字形で外形形状が長方形の杆体であり、短辺側が正面を向くように配置する。前記支柱３は、スチール板を折曲して形成し、短辺側の前面板４３と後面板４４、長辺側の側面板４５とその対面側の両側片４６，４６とで形成され、両側片４６，４６間には隙間があるが、勿論隙間が無くても良い。
【００３０】
前記アジャスター４は、図２、図３及び図１４に示すように、正面視において下半分は従来と同様な横幅を有し、前記支柱３の下端部を嵌着する上半分は前記支柱３の横幅に応じて横幅を小さくした形状であり、前記支柱３の下端部に装着するアジャスター受け部材４７と、該アジャスター受け部材４７に鉛直方向から螺合して前記地レール２内に載置するアジャスターボルト４８とからなるとともに、両側に分割パネル板８の下端を支えるパネル受け部材６を支持するための係止手段を備えている。具体的には、前記アジャスター受け部材４７は、一側面となる連結板４９の両側から直角に前板５０と後板５１を折曲して平面視略コ字形とし、更に前記連結板４９の下端を直角に折曲して水平な底面板５２を形成して前記前板５０と後板５１の間の空間を塞ぐとともに、該底面板５２の両縁部を前記前板５０と後板５１の下端に当接し、荷重を受けても変形しないようにしている。前記底面板５２の中央部に前記アジャスターボルト４８を下方から螺合している。
【００３１】
前記アジャスター受け部材４７の前板５０と後板５１は、図６及び図７に示すように、上下中間位置で段差部５３を設けて上半分の横幅を狭く、下半分の横幅を広く形成し、前記連結板４９の上下中間位置に前記段差部５３と上面が同一高さレベルに係止片５４を切起し形成するとともに、前記段差部５３の外側端部には、前記前板５０と後板５１の面より内側に側面視Ｌ字状に上向きの係止爪５５，５５を形成している。
【００３２】
つまり、前記アジャスター受け部材４７は、正面視において上下中間位置に段差部５３を設けて上半分の横幅を狭く、下半分の横幅を広く形成し、上半分に前記支柱３の下端部を嵌着し、前記段差部５３と反対側の面に前記パネル受け部材６の端部を載支してネジ止めする係止片５４を切起し形成するとともに、前記段差部５３に前記パネル受け部材６の端部に形成した孔に係合する上向きの係止爪５５，５５を形成したものである。前記支柱３の下端部は、前記アジャスター受け部材４７の上半分に外嵌した際に、前記段差部５３と係止片５４の上面に当止される。
【００３３】
そして、前記支柱３の下端部に装着された前記アジャスター４によって、前記パネル受け部材６の端部が支持される。具体的には、図１４に示すように、前記パネル受け部材６は、前記地レール２の上部を外被することができる下方開放の断面略コ字形の長尺部材であり、前記地レール２の外側に位置する垂直な吊板５６の下縁には外向きに前記受板３２を折曲形成し、また上板５７の端部には、中央部に取付孔５８、その左右部に前記保持孔５９，５９が形成されている。そして、前記アジャスター受け部材４７の係止片５４が形成されている側では、前記パネル受け部材６の端部を該係止片５４に載置し、前記取付孔５８に挿通したタッピンネジ５８Ａを係止片５４に形成した下穴に螺合し、その反対側にあっては前記パネル受け部材６の端部を両段差部５３，５３に載置すると同時に、両係止爪５５，５５を両保持孔５９，５９に受け入れて係合する。
【００３４】
次に、前記横桟７を、支持金具９を用いて前記支柱３，３間に架設する構造を、図２、図３、図１５〜図１８に基づいて説明する。前記横桟７は、下向き開放した断面略コ字形の長尺部材であり、前記パネル受け部材６と同じ長さに設定し、隣接する前記支柱３，３の間隔を正確に一定に設定しながら、該支柱３を立起状態に施工できるようにしている。前記支持金具９は、厚さ１ｍｍ以下、好ましくは厚さ０．８ｍｍのスチール板から作成し、垂直な固定板６０と水平な支持板６１とを有する正面視略Ｌ字形に形成した部材であり、該固定板６０と支持板６１の屈曲部６２の近傍に幅の狭いくびれ部６３を形成するとともに、該くびれ部６３に対応する前記固定板６０の両側に上向きフック片６４，６４を切起して形成している。また、前記固定板６０の両側部には縦長の長孔６５，６５を形成するとともに、前記支持板６１の中央に下方へバーリング加工した連結孔６６を形成している。尚、前記連結孔６６は、タッピンネジを用いる場合には下穴となり、通常の小ネジを用いる場合には螺孔とする。
【００３５】
図１５及び図１８に示すように、前記支持金具９を取付ける前記支柱３の側面板４５と両側片４６，４６には、その面の両側部に一対の係合孔６７，６７を並設してある。つまり、前記側面板４５には左右両側部に、前記側片４６，４６にはそれぞれに係合孔６７を形成している。前記係合孔６７は、縦長孔であても円形孔であっても構わないが、加工性から円形孔が好ましい。前記支持金具９を支柱３に取付けるには、図１５に示すように、前記支持板６１を上方に向けた傾斜状態で、前記フック片６４，６４を前記支柱３の係合孔６７，６７に挿入し、前記屈曲部６２を支柱３の側面に当接して該屈曲部６２を支点として前記固定板６０が垂直に、前記支持板６１が水平になるまで回転させると、前記固定板６０が支柱３の側面に当接し、前記フック片６４が深く係合する。それから、前記横桟７の下向き凹溝内に前記支持金具９の支持板６１を受け入れ、横桟７の水平な上板６８を支持板６１に載置し、該上板６８の通孔に挿通したネジ６９を前記連結孔６６に螺合して連結する。尚、前記支持金具９の支持板６１に横桟７を連結してそのままの姿勢を維持できる場合には、前記フック片６４が支柱３の係合孔６７から抜けることがないので、前記固定板６０を支柱３に必ずしもネジ止めする必要はないが、特に荷重がかかる前記横桟７Ａを支持する場合等には、前記固定板６０を長孔６５，６５を利用して支柱３の側面板４５あるいは側片４６，４６にネジ止めして、前記支柱３，３間の連結強度を高める。
【符号の説明】
【００３６】
１  天レール、              ２  地レール、
３  支柱、                  ４  アジャスター、
５  天固定金具、            ６  パネル受け部材、
７，７Ａ  横桟、            ８  分割パネル板、
９  支持金具、              １０  ダブルガラスブロック、
１０Ａ  ガラスパネル、      １１  表面板、
１２  縁部、                １３  芯材、
１４  端面板、              １５  裏面板、
１６  係止孔、              １７  係止板、
１８  フック部、            １９  上面板、
２０  折曲板、              ２１  下面板、
２２  係合板、              ２３  係止部材、
２４  垂下板、              ２５  開口、
２６  基部、                ２７  爪部、
２８  係合脚、              ２８Ａ  係合凸部、
２８Ｂ  首部、              ２９  係合孔、
２９Ａ  大孔部、            ２９Ｂ  小孔部、
３０  補強板、              ３１  突片、
３２  受板、                ３３  係合孔、
３４  水平板、              ３５  垂直板、
３６  突起、                ３７  係合溝、
３８  係止突片、            ３９  横枠、
４０  ガラス板、            ４１  係止金具、
４２  突出部、              ４３  前面板、
４４  後面板、              ４５  側面板、
４６  側片、                ４７  アジャスター受け部材、
４８  アジャスターボルト、  ４９  連結板、
５０  前板、                ５１  後板、
５２  底面板、              ５３  段差部、
５４  係止片、              ５５  係止爪、
５６  吊板、                ５７  上板、
５８  取付孔、              ５８Ａ  タッピンネジ、
５９  保持孔、              ６０  固定板、
６１  支持板、              ６２  屈曲部、
６３  くびれ部、            ６４  フック片、
６５  長孔、                ６６  連結孔、
６７  係合孔、              ６８  上板、
６９  ネジ、
Ｆ  床面、
Ｓ  天井。
【図１】
0006565341.tif 000002
【図２】
0006565341.tif 000003
【図３】
0006565341.tif 000004
【図４】
0006565341.tif 000005
【図５】
0006565341.tif 000006
【図６】
0006565341.tif 000007
【図７】
0006565341.tif 000008
【図８】
0006565341.tif 000009
【図９】
0006565341.tif 000010
【図１０】
0006565341.tif 000011
【図１１】
0006565341.tif 000012
【図１２】
0006565341.tif 000013
【図１３】
0006565341.tif 000014
【図１４】
0006565341.tif 000015
【図１５】
0006565341.tif 000016
【図１６】
0006565341.tif 000017
【図１７】
0006565341.tif 000018
【図１８】
0006565341.tif 000019